(57)【特許請求の範囲】
【請求項１】
照明器具として、中空ガラス管を縦横二重に配列した構造体を介して照明する水銀ランプ、高圧ナトリウムランプ、メタルハライドランプから選ばれるランプを有する垂直多段式水面栽培装置を備えた温室。
【請求項２】
垂直多段式水面栽培装置が４段の装置である請求項１記載の温室。
【請求項３】
垂直多段式水面栽培装置の各段に、植物栽培用ポットを着脱可能に設置し得る貫通孔を備えた浮力媒体栽培床を有する請求項１又は２記載の温室。
【請求項４】
植物栽培用ポットが側面及び／又は底面にスリットを有する請求項１〜３のいずれか１項に記載の温室。
【請求項５】
垂直多段式水面栽培装置の３段目以下の照度不足に対し、各段の全照度を少なくとも植物の必要照度となるようにランプを配置した請求項１〜４のいずれか１項に記載の温室。
【請求項６】
減菌作用を有する湿式空調設備を備えた請求項１〜５のいずれか１項に記載の温室。
【請求項７】
照明器具として、中空ガラス管を縦横二重に配列した構造体を介して照明する水銀ランプ、高圧ナトリウムランプ、メタルハライドランプから選ばれるランプを使用する垂直多段式水面栽培装置を備えた温室を使用する植物の栽培方法。
【請求項８】
垂直多段式水面栽培装置が４段の装置である請求項７記載の植物の栽培方法。
【請求項９】
垂直多段式水面栽培装置の各段に、植物栽培用ポットを着脱可能に設置し得る貫通孔を備えた浮力媒体栽培床を使用する請求項７又は８記載の植物の栽培方法。
【請求項１０】
植物栽培用ポットが側面及び／又は底面にスリットを有する請求項７〜９のいずれか１項に記載の植物の栽培方法。
【請求項１１】
垂直多段式水面栽培装置の３段目以下の照度不足に対し、各段の全照度を少なくとも植物の必要照度となるようにランプを使用する請求項７〜１０のいずれか１項に記載の植物の栽培方法。
【請求項１２】
減菌と同時に湿式空調する請求項７〜１１のいずれか１項に記載の植物の栽培方法。
【発明の詳細な説明】
【０００１】
【発明の属する技術分野】
本発明は、垂直多段式水面栽培装置を備えた温室及び該温室を使用する植物の栽培方法に関するものである。
【０００２】
【従来の技術】
従来、植物、例えば野菜類、特に葉菜類の温室栽培において、温室内で使用する栽培装置は水耕栽培装置が一般的であり、しかも栽培エリアを平面的に構築した平面栽培装置が主流であった。
水耕栽培装置において、該装置の設置面積当りの収穫量を増大させることは葉菜類の生産性を飛躍的に向上させることになるため、このような装置やその付帯設備又は器具、並びに該装置を使用する植物の栽培方法に関して種々の提案がなされている。
具体的には、例えば、近年、栽培装置を立体的に構築する努力がなされており、又、栽培エリアとして斜面を利用する斜面栽培装置の開発及び運転の試みもある。植物栽培用ポットも幾つかの種類が市販されている。
温室における植物栽培では、特に栽培エリアを立体的に構築した場合、自然光のみでは照度不足により植物の生長が阻害されるため、従来より補足手段として人工照明が採用されている。
又、ガラス温室などの閉鎖空間では、空調管理、具体的には温室内の空気の温度及び湿度の管理、空気中の塵埃，植物の一部（胞子など），細菌やウイルスなどの微生物の低減又は除去も重要である。従来、ガラス温室で使用される空調機はヒートポンプ式やレシプロ式によるものが多い。暖房のみを目的とした温風発生機、水の蒸発潜熱を利用した湿式空調法等も知られている。
【０００３】
【発明が解決しようとする課題】
しかしながら前述の従来技術には、以下に個々に詳述するような種々の欠点がある。
Ｉ．平面及び斜面水耕栽培法の生産コスト削減は限界に近い状態であり、その理由としては、例えば、
▲１▼栽培面積の拡大が困難である、
▲２▼設備装置費の削減が困難である、
▲３▼植物栽培に対する消費電力等のエネルギー使用量が大きく、又、前記エネルギー使用量を低減させるための合理化が困難である、
等が挙げられる。
ＩＩ．水耕栽培法（ロックウール栽培法、礫栽培法等）の欠点は、植物の根が浸漬される液体肥料溶液の深さがロックウールを湿潤させる程度又は礫を浸す程度であり、液体肥料溶液全体の熱容量に乏しく、そのため、外気の温度変化に敏感に反応して液体肥料溶液の温度も変化することである。
ＩＩＩ  ．市販の植物栽培用ポットは、底部中央に水抜き用穴が開いた構造となっており、そのため、栽培ポット内で植物の根が巻くことにより植物の根からの分泌物、例えば根酸類が栽培ポット内に蓄積し、植物の生育障害が度々起こる。
【０００４】
水耕栽培装置を垂直に複数配置した温室（以下、垂直多段式水面栽培装置を備えた温室と称する）は従来実用化されていなかった。その理由は、垂直多段式水面栽培装置では、最上段を除くと太陽光のみでは下段へ行くほど照度不足となり、植物の光合成に必要な照度の確保ができず、植物の栽培が困難となるからである。
植物の必要照度の例を下記表１に示す。
【表１】
0003578383.tif 000002
【０００５】
表１から、例えば、照度不足の影響はレタスのような強光型植物（少なくとも１５０００ルックス以上の照度が必要）に顕著に現れることが分かる。
前記の照度不足を補うためには人工照明を採用する必要があるが、従来の温室における人工照明は、植物栽培面から２ｍ以上離れた位置から照明する遠方照明であり、近接照明（例えば、植物栽培面から３５〜９０ｃｍの位置から照明する）には不向きであった。即ち、近接照明の問題点は、ランプ点灯時に発生する熱対策（例えば、局部的な加熱の防止）が必要であること及びランプの照射角が狭いため、局部の照明しかできないことである。具体的には、従来のランプの照射角は７５°程度［東芝ライテックス社技術資料、ランプ総合カタログ（１９９１−８技術編）］である。
一方、垂直多段式水面栽培装置の照度不足を補充するため、人工照明により補充される照度を減光分布における不足照度と完全に一致させて各段における照度を太陽光による１段目の照度と一致させると、ランプ点灯時に発生する熱が集積して部分的に温度が上昇し、植物の好適な生育環境を保持することが困難となり、植物が枯れる現象が発生する。
空調設備に関しては、従来の温室用の空調設備は空気中の温度及び湿度を調整し得るものの除菌効果が充分でないため、長時間使用すると真菌類をはじめとする多くの細菌類、ウイルス等の微生物が温室内に存在するようになる。即ち、植物そのものが光合成細菌類と共生関係にあることも手伝って、温度及び湿度のみの調節では温室内を生物学的に清浄な状態に保つことが困難であった。
【０００６】
【課題を解決するための手段】
本発明者は、上記従来技術における問題点を解決すべく鋭意努力・検討の結果、垂直多段式水面栽培装置を備えた温室及び該温室を使用する植物の栽培方法が上記問題点の解決に有効であることを見い出し、本発明を完成するに至った。
【０００７】
即ち、本発明の温室は、照明器具として、中空ガラス管を縦横二重に配列した構造体を介して照明する水銀ランプ、高圧ナトリウムランプ、メタルハライドランプから選ばれるランプを有する垂直多段式水面栽培装置を備えていることを特徴とする。また、本発明の植物の栽培方法は、照明器具として、中空ガラス管を縦横二重に配列した構造体を介して照明する水銀ランプ、高圧ナトリウムランプ、メタルハライドランプから選ばれるランプを使用する垂直多段式水面栽培装置を備えた温室を使用することを特徴とする。
【０００８】
本発明の温室において、垂直多段式水面栽培装置が４段の装置であり、垂直多段式水面栽培装置の各段に、植物栽培用ポットを着脱可能に設置し得る貫通孔を備えた浮力媒体栽培床を有し、植物栽培用ポットが側面及び／又は底面にスリット（格子状を含む）を有しており、
垂直多段式水面栽培装置が、中空ガラス管を縦横二重に配列した構造体を介して照明する水銀ランプ、高圧ナトリウムランプ、メタルハライドランプから選ばれるランプを有し、該ランプは、垂直水面栽培装置の３段目以下の各段の照度不足（減光率）に対し各段の全照度を少なくとも植物の必要照度となるように配置されており、減菌作用を有する湿式空調設備を備えた温室は特に好ましい。
又、本発明の植物の栽培方法において、垂直多段式水面栽培装置が４段の装置であり、垂直多段式水面栽培装置の各段に植物栽培用ポットを着脱可能に設置し得る貫通孔を有する浮力媒体栽培床を使用し、植物栽培用ポットは側面及び／又は底面にスリット（格子状を含む）を有し、
垂直多段式水面栽培装置の照明に、中空ガラス管を縦横二重に配列した構造体を介して水銀ランプ、高圧ナトリウムランプ、メタルハライドランプから選ばれるランプを使用し、垂直水面栽培装置の３段目以下の各段の照度不足（減光率）に対し各段の全照度を少なくとも植物の必要照度となるようにランプを配置して使用し、減菌と同時に湿式空調する植物の栽培方法は特に好ましい。
【０００９】
【発明の実施の形態】
以下、本発明の垂直多段式水面栽培装置について更に詳細に説明する。
前記垂直多段式水面栽培装置は、液体肥料水槽の液面に多数の浮力媒体栽培床を有し、これらを垂直に多段に重ねて植物を立体栽培する装置である。
液体肥料水槽には、照明等による液体肥料の温度の上昇を防止するため、液体肥料温度を調節する機能が備えられている。液体肥料は液体肥料再生装置により殺菌精製され、再循環して使用することができる。
各段の浮力媒体栽培床は液体肥料液面に浮かんでおり、植物は浮力媒体栽培床の貫通孔に設置した植物栽培用ポットに作付けして栽培される。
又、浮力媒体栽培床は液体肥料液面に浮いているため、移動が極めて簡単で、静かな手押し程度で移動させることができる利点があり、移動させながら植物を生育させ、収穫することができる。
浮力媒体栽培床は適する材料を用いて適する形状に形成してよい。具体的には例えば、プラスチック例えばポリエチレン樹脂、ポリウレタン樹脂、ポリスチレン樹脂等を原材料とし、一体成形により製造することができる。ポリスチレン樹脂は特に好ましい。これらの樹脂は発泡構造（例えば、独立気泡構造）とすることにより、容易に浮力を付与することができる。浮力媒体栽培床の材料としてポリスチレン樹脂を使用する場合には、発泡倍率は、３０〜３３倍程度がよい。
又、浮力媒体栽培床は繰り返し使用されるため、耐磨耗対策として２液硬化エポキシ樹脂、水性酢酸ビニール樹脂等を表面に塗布・加工することが好ましい。
【００１０】
図１に、本発明の温室に使用する浮力媒体栽培床１の具体例を示す。図１（ａ）は浮力媒体栽培床１の上面図、図１（ｂ）は浮力媒体栽培床１の下面図、図１（ｃ）は浮力媒体栽培床１の側面図である。本例では、浮力媒体栽培床１は発泡倍率３０〜３３倍のスチレン樹脂を用いて製造した。
浮力媒体栽培床１には、植物栽培用ポットを着脱可能に設置し得る貫通孔２が設けられている。又、浮力媒体栽培床１の下面の周辺部及び内部（一定間隔）には、補強用の凸条３が設けられている。
【００１１】
図２に、浮力媒体栽培床１の貫通孔２に嵌合させて使用する植物栽培用ポット４の具体例を示す。図２（ａ）は植物栽培用ポット４の斜視図、図２（ｂ）は植物栽培用ポット４の断面図、図２（ｃ）は植物栽培用ポット４の平面図である。植物栽培用ポット４は、側面（及び／又は底面）にスリット５を有しているため、液体肥料溶液が植物の根に接触して円滑に流れるので植物栽培用ポット４内に植物の根からの分泌物が蓄積せず、植物の生育障害が発生しない。即ち、植物の根からの分泌物が液体肥料に溶解するため、分泌物の蓄積が起こらない。スリット５は側面及び／又は底面に設けてもよい。
植物栽培用ポット４は、適する原材料から慣用の成形方法を用いて製造することができる。例えば、植物栽培用ポット４は、スチレン樹脂等のプラスチックを原材料とし、真空成形法により製造することができる。植物栽培用ポット４の大きさや形状は、使用目的に合致する範囲内で適宜選択してよい。
本発明の温室や栽培方法を用いて、例えば、園芸用の植物を栽培する場合には、植物を本発明の温室で栽培した後、植物を前記植物栽培用ポット４ごと販売することもできる。
【００１２】
垂直多段式水面栽培装置の人工照明用の照明器具としては、中空ガラス管を縦横二重に配列した構造体を介して照明する水銀ランプ、高圧ナトリウムランプ、メタルハライドランプから選ばれるランプを使用することが好ましい。
ランプの種類が異なるとその照明特性も異なる。即ち、水銀ランプは波長４００ｎｍ付近に多くの輝線を持ち、高圧ナトリウムランプは波長５５０〜６００ｎｍ付近に多くの輝線を持ち、メタルハライドランプは全波長領域（例えば、３８０〜７５０ｎｍ付近）に多くの輝線を有している。それ故、前記の人工照明として、水銀ランプ、高圧ナトリウムランプ、メタルハライドランプの混合照明を使用すると、照明特性を太陽光線による照明特性に近似させることができるので、一層好ましい。
【００１３】
上記ランプと中空球面体、例えば中空ガラス管を縦横二重に配列した構造体を組み合わせることにより、植物に対し、光線の照射角を８７°にまで拡大させることができると共に、ランプ等の照明器具から発生する熱を充分放熱することにより、近接照明（例えば、植物栽培面から３５〜９０ｃｍの位置から照明する）が可能となった。又、近接照明が可能となったことにより、使用するランプの数を減少させることができる。
図３は、中空球面体６，７を縦横二重に配列した構造体であり、その平面的光路を模式的に示したものであり、光路は１球面あたり８７°に拡大されていることが判る。
前記中空球面体は、前述の中空ガラス管以外に、耐熱性で且つ透明又は半透明の適当な原材料、例えばポリカーボネート樹脂等を使用して製造することができる。或いは、複数の原材料を組み合わせて使用してもよい。前記中空球面体の表面及び／又は内面に光を散乱させるための適当な凹凸等を設けることもできる。又、放熱などの目的で前記中空球面体の内部に適当な流体、例えば空気や水を流通させてもよい。
更に、中空球面体以外に、例えば、表面に凹凸を設けたガラス又はプラスチック製の板状体（単数又は複数）を使用することもできる。
前記の球面体又は板状体の変形及び／又は着色は、必要であれば適宜行ってよい。
【００１４】
図３の構造体を、適する形状に、例えば正方形や長方形に配置し、その上から点光源（例えば、前記のランプ）で照射すると、点光源からの光線は整然と且つ均一に全方位に拡散する。
植物には向光生長の性質があるが、本発明の照明器具を使用すると植物に特定方向から光線が照射されないので、植物は特定方向に向光生長せず、垂直に生長し、品質や収穫高が向上して好ましい。
【００１５】
図４は、上記ランプと中空ガラス管を縦横二重に配列した構造体を組み合わせた照明器具（パーツとなっている）の一例である。ランプ８は収納容器９内に収納されており、収納容器９は固定金具１０で所定位置に固定される。又、ランプ８の下面側には、中空ガラス管１１，１２が縦横二重に配列された構造体が形成されている。
熱対策としては、ランプの上部の反射板（ステンレス製，図示せず）の裏面に４０％の開口部を設け、空気対流により放熱する。又、中空ガラス管の中空部分は、発生熱を放出する作用もあるので好都合である。
【００１６】
図５は、本発明の温室に使用する垂直多段式水面栽培装置が４段の装置である（栽培床１３が四つある）場合の第３段目以下の各段の照度不足を説明するための図である。斜線の部分が照度不足で植物の栽培に不適当な部分を示しており、最上段（第４段）は太陽光のみで植物の栽培が可能であるが、下段に行く程照度不足となり、最下段（第１段）では８０％以上の部分が照度不足となる（原口ら、九州大学農学部学芸誌、５０巻、１−２号、６７−７６頁、１９９５年）。
【００１７】
図６は、強光型植物の栽培において、第３段目以下の照度不足（減光率）を補充するため、図４の照明器具を、各段の全照度が少なくとも１５０００ルックス程度となるように配置した状態を示す説明図である。ランプ８の位置は浮力媒体栽培床より約７０ｃｍの高さにある。第３段目以下の各段において、ランプ８により補助光照明域１４が形成される。
尚、水面栽培装置の第１段とその直上階の照明位置はおおむね同じ位置としている。これはランプ等から発生する熱の放熱帯を確保するためである。
ランプ８として３種類の異なるランプを使用した。使用したランプの性能は表２の通りである。
【表２】
0003578383.tif 000003
表３は、図６のように照明器具を配置した場合の垂直多段式水面栽培装置の各段の照度の計算値である。この場合、太陽光の標準照度を低レベルの１５０００ルックスとした。
【表３】
0003578383.tif 000004
以上より、第１段〜第３段の全照度を少なくとも１５０００〜１７０００ルックスとなるように設定できることが判る。
【００１８】
本発明の垂直多段式水面栽培装置は、ユニット化することも可能である。この場合、適当な空調設備を設けるとよい。
前記の空調設備としては、例えば、減菌作用を有する湿式空調設備が挙げられる。この湿式空調設備は、温室内に浮遊する塵埃及び／又は細菌類の粒子を湿式で除塵及び／又は除去すると共に空調するものである。
即ち、温室内の空気（ガス）の流れ方向と直交する方向にラシヒリング等の充填材（ガス吸収充填材）を充填した籠（層）をからなる複数の層（例えば、二つの層）を設け、各層に水を空気（ガス）の流れ方向に噴霧し、温室内の空気（ガス）を通過させることにより塵埃及び／又は細菌類の除塵及び／又は除去を可能としたものである。
前記のガス吸収充填材に噴霧する水の温度や量は全ての層で同一としてもよいし、又は、各層ごとに異なる条件に設定してもよい。ガス吸収充填材に噴霧する水の温度や量を各層ごとに異なる条件に設定する場合には、温室内の空気（ガス）の温度や湿度の微調整が可能である。
即ち、前記の湿式空調設備を用いることにより、温室内の空気は、設定水温より高ければ冷却され、逆に低くけれぱ加温されることとなり、例えば、２２℃で飽和蒸気圧を有する空気は湿度６８％程度（力率７０％）の空気となる。
【００１９】
図７に、本発明の温室に使用する湿式空調設備の一例を示す。図７（ａ）は湿式空調設備で使用する充填材の一例の斜視図、図７（ｂ）は湿式空調設備の湿式空調機の概略構成図、図７（ｃ）は湿式空調設備の細菌検査位置を示す図である。
図７（ａ）に示す充填材１５はダイヤモンド型３″ＳＭ−Ｄ［筒中プラスチック工業製］である。図７（ｂ）の湿式空調機１６には、図７（ａ）の充填材１５が充填されたガス吸収充填材層１７，１８が備えられている。ガス吸収充填材層１７には水噴霧ノズル１９から水温２０〜１７℃の水が噴霧される。又、ガス吸収充填材層１８には水噴霧ノズル２０から水温１０〜７℃の水が噴霧される。温室内から取り込んだ空気はガス吸収充填材層１７，１８を通過し、次いでデミスター２１でミストが除去された後、温室内に戻される。
湿式空調機１６の性能、例えば減菌性能を確認し最適に管理するためには、例えば図７（ｃ）の如く細菌検査位置を定めて定期的にガスを採取し、細菌検査を行う。すなわち、図７（ｃ）において、ガラス温室２２内の空気はファン２３によって湿式空調機１６内に送られ、次いで再びガラス温室２２内に戻されるが、この際、ガス採取口２４から減菌前の空気を採取し、ガス採取口２５から減菌後の空気を採取する。
【００２０】
図７（ｃ）において、ガス採取口２４（温室出口）とガス採取口２５（空調設備出口）の２箇所から採取した試料の細菌検査を行ったところ、表４の結果を得た。尚、試料採取は、温室出口の空気に対して被爆時間２分間、空調設備出口の空気に対して被爆時間１５分間で行った。又、検査法は、一般生菌用寒天培地平板培養法とし、培養条件は３７℃、４８時間である。
【表４】
0003578383.tif 000005
検査結果の評価方法は、平板上に出現したコロニー数を計数する方法とした。この場合、コロニー数が多ければ細菌数が多いことを意味している。
表４の結果より、空調設備出口でのコロニー数は温室出口でのコロニー数の１／１０以下であり、図７の空調設備は９０％以上の除菌効率があることが判る。
【００２１】
【実施例】
以下、実施例を挙げて本発明を更に詳しく説明するが、下記実施例は説明のためのみのものであり、本発明はこれらに限定されるものではない。
実施例１（本発明の温室）：
図８に、本発明の温室に使用する垂直多段式水面栽培装置の一例を示す。本例は、垂直多段式水面栽培装置が４段の装置である場合の具体例である。以下、各構成要素について順次説明する。
１）温度機能（チューブ式の熱交換機）付き液体肥料水槽
液体肥料水槽２６はＦＲＰ製で、装置内に８箇所配置されている。液体肥料水槽２６は液温調節のためのチューブ式熱交換機２７を内蔵し、冷水を用いて液体肥料の温度を１８〜２２℃に維持している。冷水は植物の収穫側から作付け側へ循環している。又、液体肥料水槽２６には、液体肥料を循環使用するため、給液口と排液口が設けられており、液体肥料（誘電率：１．４〜１．８ｍＳ／ｃｍ）は植物の収穫側から作付け側へ循環している。
こうすることにより、収穫前の植物の根からの分泌物の濃度（ポット内の濃度）を低下させることができる。
２）浮力媒体栽培床（作付けパット）
植物を作付けする浮力媒体栽培床１（図１に記載したものと同じ）には植物を作付けした植物栽培用ポットが設置され、液体肥料水槽２６の液面上に浮いている。
植物栽培用ポットを設置した浮力媒体栽培床１は、植物の生長につれて連続的に液体肥料水槽２６の液面上を移動し（例えば、人力又は機械力により移動させる）、最終端部において生長した植物を収穫することができる。
３）植物栽培用ポット
植物を作付けする植物栽培用ポット４（図２に記載したものと同じ）は、ポットの側面及び／又は底面に多数のスリットを有するものである。
４）人工照明
照明装置２８は、図６のように各段の全照度が少なくとも１５０００ルックス程度となるように配置した（ランプ位置は浮力媒体栽培床１より約７０ｃｍの高さにあるが、植物が生長するにつれ全照度は上昇することとなる）。照度の実測値は１６０００〜２７０００ルックスであった。
５）局所冷気噴出パイプ
局所冷気噴出パイプ２９は水面栽培装置の各浮力媒体栽培床の両端上にあり、冷風吹出し量が調節されている。照明装置等から発生する熱は、温風対流ゾーン３０を多段式水面栽培装置の中央部分に設けることにより、ゾーン対流・放熱している（温度４０〜６０℃，流速３〜５ｍ／ｓ）。尚、空調設備は図７に記載したものと同じ設備を使用した。
【００２２】
実施例２（本発明の植物の栽培方法）：
表５は、サニーレタス１号について、本発明の植物の栽培方法を用いた場合と露地栽培の場合を比較（１０００ｍ２  当たり）したものである。
＜栽培条件＞
ａ．露地栽培
栽培期間：６０日
春まき：平成４年２月播種・育苗・定植，４月収穫（定植から収穫まで３５日間，サニーレタスの定植時の重量は６．０ｇ）
秋まき：平成４年９月播種・育苗・定植，１１月収穫（定植から収穫まで３５日間，サニーレタスの定植時の重量は６．０ｇ）
栽培面積：Ａ地区；２４６２ｍ２  ，Ｂ地区；８４１ｍ２  
ｂ．本発明の植物の栽培方法（垂直４段式水面栽培装置を使用）
温室温度：１９〜２２℃，湿度６７％
液体肥料：大塚化学製１号及び２号の混合溶液（ｐＨ＝４．８〜５．４）
液体肥料温度：１８〜２２℃
人工照明時間：１１時間／日
栽培期間：３５日（サニーレタス栽培用ポットを設置した浮力媒体栽培床が連続的に液体肥料水槽液面上を移動し、サニーレタスが収穫されるまでの期間）
春まき：平成３年１２月播種・育苗・定植，平成４年３〜４月収穫（サニーレタスの定植時の重量は６．０ｇ）
秋まき：平成４年７月播種・育苗・定植，１０〜１１月収穫（サニーレタスの定植時の重量は６．０ｇ）
栽培面積：４０３．２ｍ２  
【表５】
0003578383.tif 000006
表５の結果より、本発明の植物の栽培方法を用いると、露地栽培による場合に比べて単位栽培面積当りの生産高が非常に多く、生産性が著しく向上していることが判る。
【００２３】
【発明の効果】
本発明に従えば、植物の立体栽培が可能となり、生産設備の設置面積当りの栽培面積が増加するため、植物の生産量が増大し、植物１株あたりの設備費は平面栽培の場合に比べて大幅に減少する。又、本発明は園芸用植物，野菜類等、種々の植物に対して適用可能であり、例えばレタスのような強光型植物の栽培も可能である。
更に、本発明においては肥料液体の温度調節が容易となり、根酸類による植物の生育障害が解消され、又、除塵及び細菌類の除去と同時に空調が可能となったので、生育が良く且つ細菌類などの汚染の少ない清潔な植物を効率良く生産することが可能である。
【図面の簡単な説明】
【図１】本発明の温室に使用する浮力媒体栽培床の一例を示す図であり、図１（ａ）は浮力媒体栽培床の上面図、図１（ｂ）は浮力媒体栽培床の下面図、図１（ｃ）は浮力媒体栽培床の側面図である。
【図２】図１の浮力媒体栽培床の貫通孔に嵌合させて使用する植物栽培用ポットの一例を示す図であり、図２（ａ）は植物栽培用ポットの斜視図、図２（ｂ）は植物栽培用ポットの断面図、図２（ｃ）は植物栽培用ポットの平面図である。
【図３】中空ガラス管を縦横二重に配列した構造体の平面的光路を模式的に示した図である。
【図４】本発明の温室に使用する照明器具の一例を示す図である。
【図５】本発明の温室に使用する垂直多段式水面栽培装置が４段の装置である場合の第３段目以下の各段の照度不足を説明するための図である。
【図６】強光型植物の栽培において、第３段目以下の照度不足（減光率）を補充するため、図４の照明器具を、各段の全照度が少なくとも１５０００ルックス程度となるように配置した状態を示す説明図である。
【図７】本発明の温室に使用する湿式空調設備の一例を示す図であり、図７（ａ）は湿式空調設備で使用する充填材の一例の斜視図、図７（ｂ）は湿式空調設備の湿式空調機の概略構成図、図７（ｃ）は湿式空調設備の細菌検査位置を示す図である。
【図８】本発明の温室に使用する垂直多段式水面栽培装置（４段の装置）の一例を示す図である。
【符号の説明】
１  浮力媒体栽培床                    ２  貫通孔
３  凸条                              ４  植物栽培用ポット
５  スリット                          ６，７  中空球面体
８  ランプ                            ９  収納容器
１０  固定金具                        １１，１２  中空ガラス管
１３  栽培床                          １４  補助光照明域
１５  充填材                          １６  湿式空調機
１７，１８  ガス吸収充填材層          １９，２０  水噴霧ノズル
２１  デミスター                      ２２  ガラス温室
２３  ファン                          ２４，２５  ガス採取口
２６  液体肥料水槽                    ２７  熱交換機
２８  照明装置                        ２９  局所冷気噴出パイプ
３０  温風対流ゾーン
【図１】
0003578383.tif 000007
【図２】
0003578383.tif 000008
【図３】
0003578383.tif 000009
【図４】
0003578383.tif 000010
【図５】
0003578383.tif 000011
【図６】
0003578383.tif 000012
【図７】
0003578383.tif 000013
【図８】
0003578383.tif 000014